(57)【要約】【課題】  照明の効率を低下することがなく、美観を損なわない無線アンテナを備えた照明器具を得る。【解決手段】  発光部である放電灯１と、この放電灯１に電力を供給して点灯させる駆動部であるインバータ回路３と、放電灯１から放射される光を反射する反射板２と、インバータ回路３を制御する制御信号４を生成しインバータ回路３へ出力する制御部であるインバータ制御回路５と、無線信号７を受信し制御信号４を生成する受信信号８をインバータ制御回路５へ出力する無線アンテナ９とを備え、無線アンテナ９が面状に形成され反射板２の反射面の一部をなすように反射板２に設ける。【選択図】        図１
2006080007.tif 000002
【特許請求の範囲】
【請求項１】
発光部と、
前記発光部に電力を供給して点灯させる駆動部と、
前記発光部から放射される光を反射する反射板と、
前記駆動部を制御する制御信号を生成し前記駆動部へ出力する制御部と、
無線信号を受信し前記制御信号を生成する受信信号を前記制御部へ出力する無線アンテナと、を備え、
前記無線アンテナが面状に形成され前記反射板の反射面の一部をなすように前記反射板に設けられることを特徴とする照明器具。
【請求項２】
発光部と、
前記発光部に電力を供給して点灯させる駆動部と、
前記発光部から放射される光を反射する反射板と、
前記駆動部を制御する制御信号を生成し前記駆動部へ出力する制御部と、
前記駆動部または前記制御部が生成する点灯状態管理信号に基づく無線信号を送信する無線アンテナと、を備え、
前記無線アンテナが面状に形成され前記反射板の反射面の一部をなすように前記反射板に設けられることを特徴とする照明器具。
【請求項３】
発光部から放射される光に対し無線アンテナが反射板と同じ反射率を有することを特徴とする請求項１または請求項２のいずれかに記載の照明器具。
【請求項４】
無線アンテナがマイクロストリップアンテナ、パッチアンテナまたはスロットアンテナのいずれかにより構成される請求項１乃至請求項３のいずれかに記載の照明器具。
【請求項５】
発光部と、
前記発光部に電力を供給して点灯させる駆動部と、
前記発光部から放射される光を反射する反射板と、
前記駆動部を制御する制御信号を生成し前記駆動部へ出力する制御部と、
無線信号を受信し前記制御信号を生成する受信信号を前記制御部へ出力する無線アンテナと、を備え、
前記反射板は前記無線アンテナが受信する無線信号を透過し、前記無線アンテナが前記反射板に対し前記発光部の反対側に設けられることを特徴とする照明器具。
【請求項６】
発光部と、
前記発光部に電力を供給して点灯させる駆動部と、
前記発光部から放射される光を反射する反射板と、
前記駆動部を制御する制御信号を生成し前記駆動部へ出力する制御部と、
前記駆動部または前記制御部が生成する点灯状態管理信号に基づく無線信号を送信する無線アンテナと、を備え、
前記反射板は前記無線アンテナが送信する無線信号を透過し、前記無線アンテナが前記反射板に対し前記発光部の反対側に設けられることを特徴とする照明器具。
【請求項７】
発光部と、
前記発光部に電力を供給して点灯させる駆動部と、
前記駆動部を制御する制御信号を生成し前記駆動部へ出力する制御部と、
無線信号を受信し前記制御信号を生成する受信信号を前記制御部へ出力する無線アンテナと、
前記発光部からの光が通過して空間へ放射される開口部と、を備え、
前記無線アンテナが前記開口部の外縁部に沿って設けられ、前記開口部のなす面の法線に対して所定の角度で前記外縁部へ収納可能であることを特徴とする照明器具。
【請求項８】
発光部と、
前記発光部に電力を供給して点灯させる駆動部と、
前記駆動部を制御する制御信号を生成し前記駆動部へ出力する制御部と、
前記駆動部または前記制御部が生成する点灯状態管理信号に基づく無線信号を送信する無線アンテナと、
前記発光部からの光が通過して空間へ放射される開口部と、を備え、
前記無線アンテナが前記開口部の外縁部に沿って設けられ、前記開口部のなす面の法線に対して所定の角度で前記外縁部へ収納可能であることを特徴とする照明器具。
【請求項９】
無線アンテナがロッドアンテナにより構成される請求項７または請求項８のいずれかに記載の照明器具。
【発明の詳細な説明】
【技術分野】
【０００１】
この発明は、無線アンテナを備えた照明器具に係り、無線アンテナが受信する無線信号により制御される照明器具、または、照明器具の点灯状態等の管理信号に基づく無線信号を無線アンテナが送信する照明器具に関するものである。
【背景技術】
【０００２】
従来の照明器具は、照明カバーの上にランプを制御する無線信号を受信する無線アンテナが設けられる（例えば、特許文献１参照）。
【０００３】
【特許文献１】特開２００２−２８９３７２号公報（第４頁、第２図）
【発明の開示】
【発明が解決しようとする課題】
【０００４】
従来の照明器具は、照明カバーの上に無線アンテナが設けられるのでランプの光を遮り、照明の効率が低下する問題があった。また照明カバーに設けられる無線アンテナは目立つので美観を損なう問題があった。
【０００５】
この発明は上記のような課題を解消するためになされたもので、照明の効率を低下することがなく、美観を損なわない無線アンテナを備えた照明器具を得ることを目的とする。
【課題を解決するための手段】
【０００６】
この発明に係る照明器具においては、発光部と、この発光部に電力を供給して点灯させる駆動部と、発光部から放射される光を反射する反射板と、駆動部を制御する制御信号を生成し駆動部へ出力する制御部と、無線信号を受信し制御信号を生成する受信信号を制御部へ出力する無線アンテナとを備え、無線アンテナが面状に形成され反射板の反射面の一部をなすように反射板に設けられるものである。
【０００７】
また、発光部と、この発光部に電力を供給して点灯させる駆動部と、発光部から放射される光を反射する反射板と、駆動部を制御する制御信号を生成し駆動部へ出力する制御部と、駆動部または制御部が生成する点灯状態管理信号に基づく無線信号を送信する無線アンテナとを備え、無線アンテナが面状に形成され前記反射板の反射面の一部をなすように反射板に設けられるものである。
【０００８】
また、発光部と、この発光部に電力を供給して点灯させる駆動部と、発光部から放射される光を反射する反射板と、駆動部を制御する制御信号を生成し駆動部へ出力する制御部と、無線信号を受信し制御信号を生成する受信信号を制御部へ出力する無線アンテナとを備え、反射板は無線アンテナが受信する無線信号を透過し、無線アンテナが反射板に対し発光部の反対側に設けられるものである。
【０００９】
また、発光部と、この発光部に電力を供給して点灯させる駆動部と、発光部から放射される光を反射する反射板と、駆動部を制御する制御信号を生成し前記駆動部へ出力する制御部と、駆動部または制御部が生成する点灯状態管理信号に基づく無線信号を送信する無線アンテナとを備え、反射板は無線アンテナが送信する無線信号を透過し、無線アンテナが反射板に対し発光部の反対側に設けられるものである。
【００１０】
また、発光部と、この発光部に電力を供給して点灯させる駆動部と、この駆動部を制御する制御信号を生成し駆動部へ出力する制御部と、無線信号を受信し制御信号を生成する受信信号を制御部へ出力する無線アンテナと、発光部からの光が通過して空間へ放射される開口部とを備え、無線アンテナが開口部の外縁部に沿って設けられ、開口部のなす面の法線に対して所定の角度で外縁部へ収納可能なものである。
【００１１】
また、発光部と、この発光部に電力を供給して点灯させる駆動部と、この駆動部を制御する制御信号を生成し駆動部へ出力する制御部と、駆動部または制御部が生成する点灯状態管理信号に基づく無線信号を送信する無線アンテナと、発光部からの光が通過して空間へ放射される開口部とを備え、無線アンテナが開口部の外縁部に沿って設けられ、開口部のなす面の法線に対して所定の角度で外縁部へ収納可能なものである。
【発明の効果】
【００１２】
この発明に係る照明器具によれば、発光部と、この発光部に電力を供給して点灯させる駆動部と、発光部から放射される光を反射する反射板と、駆動部を制御する制御信号を生成し駆動部へ出力する制御部と、無線信号を受信し制御信号を生成する受信信号を制御部へ出力する無線アンテナとを備え、無線アンテナが面状に形成され反射板の反射面の一部をなすように反射板に設けられるので、無線アンテナが発光部から放射される光を遮らず、照明の効率低下を防止できる。また、無線アンテナが目立たず美観を損なうことがない。
【００１３】
また、この発明に係る照明器具によれば、発光部と、この発光部に電力を供給して点灯させる駆動部と、発光部から放射される光を反射する反射板と、駆動部を制御する制御信号を生成し駆動部へ出力する制御部と、駆動部または制御部が生成する点灯状態管理信号に基づく無線信号を送信する無線アンテナとを備え、無線アンテナが面状に形成され前記反射板の反射面の一部をなすように反射板に設けられるので、無線アンテナが発光部から放射される光を遮らず、照明の効率低下を防止できる。また、無線アンテナが目立たず美観を損なうことがない。
【００１４】
また、この発明に係る照明器具によれば、発光部と、この発光部に電力を供給して点灯させる駆動部と、発光部から放射される光を反射する反射板と、駆動部を制御する制御信号を生成し駆動部へ出力する制御部と、無線信号を受信し制御部へ制御信号を生成する受信信号を出力する無線アンテナとを備え、反射板は無線アンテナが受信する無線信号を透過し、無線アンテナが反射板に対し発光部の反対側に設けられるので、無線アンテナが発光部から放射される光を遮らず、照明の効率低下を防止できる。また、無線アンテナを配置する場所の制約が緩くなり、設計の自由度が大きくなる。さらに、無線アンテナが目立たず美観を損なうことがない。
【００１５】
また、この発明に係る照明器具によれば、発光部と、この発光部に電力を供給して点灯させる駆動部と、発光部から放射される光を反射する反射板と、駆動部を制御する制御信号を生成し駆動部へ出力する制御部と、駆動部または制御部が生成する点灯状態管理信号に基づく無線信号を送信する無線アンテナとを備え、反射板は無線アンテナが送信する無線信号を透過し、無線アンテナが反射板に対し発光部の反対側に設けられるので、無線アンテナが発光部から放射される光を遮らず、照明の効率低下を防止できる。また、無線アンテナを配置する場所の制約が緩くなり、設計の自由度が大きくなる。さらに、無線アンテナが目立たず美観を損なうことがない。
【００１６】
また、この発明に係る照明器具によれば、発光部と、この発光部に電力を供給して点灯させる駆動部と、この駆動部を制御する制御信号を生成し駆動部へ出力する制御部と、無線信号を受信し制御信号を生成する受信信号を制御部へ出力する無線アンテナと、発光部からの光が通過して空間へ放射される開口部とを備え、無線アンテナが開口部の外縁部に沿って設けられ、開口部のなす面の法線に対して所定の角度で外縁部へ収納可能なので、無線アンテナが発光部から放射される光を遮らず、照明の効率低下を防止できる。また、無線アンテナが目立たず美観を損なうことがない。
【００１７】
また、この発明に係る照明器具によれば、発光部と、この発光部に電力を供給して点灯させる駆動部と、この駆動部を制御する制御信号を生成し駆動部へ出力する制御部と、駆動部または制御部が生成する点灯状態管理信号に基づく無線信号を送信する無線アンテナと、発光部からの光が通過して空間へ放射される開口部とを備え、無線アンテナが開口部の外縁部に沿って設けられ、開口部のなす面の法線に対して所定の角度で外縁部へ収納可能なので、無線アンテナが発光部から放射される光を遮らず、照明の効率低下を防止できる。また、無線アンテナが目立たず美観を損なうことがない。
【発明を実施するための最良の形態】
【００１８】
実施の形態１．
図１はこの発明の実施の形態１における照明器具の構成を示す概略構成図である。本実施例における照明器具２００は、発光部である放電灯１、放電灯１から放射される光を反射する反射板２、放電灯１に電力を供給して点灯させる駆動部であるインバータ回路３、放電灯１を点灯し、消灯し、調光するようにインバータ回路３を制御する制御信号４を生成しインバータ回路３へ出力する制御部であるインバータ制御回路５、放電灯１をリモコンで制御するためのコントローラ６から送信された無線信号７を受信し、その受信信号８をインバータ制御回路５へ出力する無線アンテナ９から構成される。ここで、インバータ制御回路５は、無線アンテナ７から出力される受信信号８を復調する図示しない復調部を備え、この復調部により、受信信号８に含まれインバータ回路３を制御するための制御情報を抽出し、この制御情報に基づき制御信号４を生成する。なお、コントーラ６は持ち運びできるものである。また、照明器具２００は図示しない取り付け具により天井２１０などへ取り付けられる。なお、照明器具２００は、放電灯１からの光が通過して空間へ放射される開口部２０のなす面と天井２１０の下面とが一致するように天井２１０へ埋設してもよい。
【００１９】
図２はこの発明の実施の形態１における照明器具の外観図である。放電灯１は直管の蛍光ランプであり、ランプソケット１０に取り付けられる。放電灯１は、ランプソケット１０を介して図示しないインバータ回路３から電力を供給されて点灯する。反射板２は断面が略コの字をなし、無線アンテナ９が設けられる反射板２ａ、放電灯１の裏面に配置される反射板２ｂ、放電灯１に対し反射板２ａと対称に配置される反射板２ｃから構成される。無線アンテナ９はマイクロストリップアンテナであり、このアンテナの金属パターンが誘電体基板の表面に平面状に形成される。無線アンテナ９は、放電灯１からの光に対する反射板２ａの反射面の一部をなすように反射板２ａへ設けられる。ここでは、金属パターンが設けられる面と反射板２ａの面とが一致するように無線アンテナ９を反射板２ａへ設ける。
【００２０】
次に、動作について説明する。
インバータ回路３は、商用交流電源から交流電圧を供給され、この交流電圧を整流して平滑化した直流電圧に変換し、この直流電圧をスイッチング素子でスイッチングし高周波の交流電圧に変換する。インバータ回路３はこの高周波電圧を放電灯１に供給する。インバータ回路３はインバータ制御回路５から制御信号４を入力され、この制御信号４に基づき放電灯１へ供給される高周波電力を制御する。ここで、制御信号４は放電灯１の点灯を開始したり、消灯したり、放電灯１の光出力を変化する調光などの制御を行う信号であり、インバータ回路３への交流電源をオン、オフしたり、直流電圧値を制御したり、スイッチング周波数を制御して高周波電力を制御する。
【００２１】
コントローラ６は無線アンテナ９へ放電灯１を制御するための無線信号７を送信する。無線信号７を受信した無線アンテナ９は受信信号８をインバータ制御回路５へ出力する。インバータ制御回路５は、無線アンテナ９から入力された受信信号８に基づき制御信号４を生成して、インバータ回路３へ出力する。このように、放電灯１はコントローラ６から送信される無線信号７により制御される。
【００２２】
図３及び図４は無線アンテナ９の設置位置を示す配置図である。図３は、図１及び図２と同様に、反射板２の断面が略コの字状の場合を示し、図４は反射板２の断面がＷ状の場合を示す。
【００２３】
図１及び図２で示した無線アンテナ９の設置位置は、図３の反射板２ａに無線アンテナ９ａが設置された場合に対応する。無線アンテナ９ａの無線信号７に対する放射パターン９１ａは、無線アンテナ９ａを構成するマイクロストリップアンテナの構成に依存するが、一般的にマイクロストリップアンテナの金属パターンが設けられる面と直交する方向９２ａにピークを持つ。したがって、照明器具２００が天井２１０に取り付けられた場合、無線アンテナ９ａの真下方向、すなわち、無線アンテナ９ａを通り天井２１０に直交する方向での受信感度はピーク方向９２ａよりも低く、さらに、ピーク方向９２ａと直交する方向ではほとんど感度がない。このような方向にコントローラ６が配置されると、無線信号７が効率よく無線アンテナ９ａで受信されず、放電灯１の制御ができない。そこで、新たに無線アンテナ９ｃを反射板２ｃに設置することにより、無線アンテナ９ａの受信感度の悪い方向から到来する無線信号７を効率よく受信することができる。なお、無線アンテナ９ａまたは９ｃをそれぞれ反射板２ａまたは２ｃに設置するかわりに、無線アンテナ９ｂを反射板２ｂに設けてもよい。無線アンテナ９ｂはこの真下方向がピーク方向９２ｂと一致するので、効率よく無線信号７を受信できる。
【００２４】
図４は反射板２断面がＷ状をなし、二つの放電灯１１、１２を備える場合である。無線アンテナ９ｅが反射板２ｅに設置されると、図３において無線アンテナ９ｃが反射板２ｃに設けられる場合と同様に、アンテナ９ｅの直下方向で受信感度が低く、アンテナ９ｅのボアサイト方向９２ｅと直交する方向ではほとんど受信感度がない。そこで、新たに無線アンテナ９ｆを反射板２ｆに設け、無線アンテナ９ｅの受信感度の悪い方向から到来する無線信号７を効率よく受信することができる。
【００２５】
なお、図３及び図４で、無線アンテナ９ａ、９ｃ、９ｅ及び９ｆのそれぞれの放射パターン９１ａ、９１ｃ、９１ｅ及び９１ｆがそれぞれのピーク方向でピークを持つ場合を示したが、それぞれの無線アンテナを形成するマイクロストリップアンテナパターンをアレー化し、このアレー化したアンテナパターンをそれぞれ給電する位相を調整し、各アンテナパターンの位相がアンテナ直下方向で揃うようにしてもよい。アンテナ直下方向で放射パターンがピークを持つように構成できる。
【００２６】
このように、無線アンテナ９は反射板２の反射面の一部となるように反射板２に設けられるので、放電灯１から放射される光を遮らず、照明の効率低下を防止できる。さらに無線アンテナ９は目立たず、美観を損なうことがない。
【００２７】
このように構成された実施の形態１による照明器具によれば、発光部と、この発光部に電力を供給して点灯させる駆動部と、発光部から放射される光を反射する反射板と、駆動部を制御する制御信号を生成し駆動部へ出力する制御部と、無線信号を受信し制御信号を生成する受信信号を制御部へ出力する無線アンテナとを備え、無線アンテナが面状に形成され反射板の反射面の一部をなすように反射板に設けられるので、無線アンテナが発光部から放射される光を遮らず、照明の効率低下を防止できる。また、無線アンテナが目立たず美観を損なうことがない。
【００２８】
なお、実施の形態１において、反射板の反射面と無線アンテナの金属パターンが設けられる面とが平面の場合を示したが、両者が曲面をなす場合であってもよい。図５の（ａ）は、反射板２の反射面２１と無線アンテナ９の金属パターンが設けられる面９３とが平面であり、それぞれの平面の法線方向が一致して面９３が反射面２１の一部をなすように無線アンテナ９が反射板２へ設けられる。図５の（ｂ）は、反射板２の反射面２２と無線アンテナ９の金属パターンが設けられる面９４とが曲面であり、例えばそれぞれの曲面の法線方向が連続して接続され、面９４が反射面２２の一部をなすように無線アンテナ９が反射板２へ設けられる。なお、図５の（ａ）及び（ｂ）において、反射板の反射面と無線アンテナの金属パターンが設けられる面とに段差があってもよい。
【００２９】
実施の形態２．
図６はこの発明の実施の形態２における照明器具の構成を示す概略構成図である。図６は無線アンテナをルーバに配置したものであり、図６の（ａ）及び（ｂ）はそれぞれルーバに１つ、及び２つの無線アンテナを配置したものである。その他の構成は、実施の形態１と同様である。図６の（ａ）において、無線アンテナ９ｇは反射板２ｇに設けられる。ここで、反射板２ｇは、開口部２０に設けられるルーバである。無線アンテナ９ｇの放射パターン９１ｇは、反射板２ｇの反射面の法線方向から下方に傾いた方向９２ｇにピークを有する。ここで、無線アンテナ９ｇはマイクロストリップアンテナにより構成される。無線アンテナ９ｇを形成するマイクロストリップアンテナパターンをアレー化し、このアレー化したアンテナパターンをそれぞれ給電する位相を調整し、各アンテナパターンの位相が方向９２ｇで揃うように構成する。
【００３０】
図６の（ａ）において、無線アンテナ９ｇは、反射板２ｇに対し無線アンテナ９ｇが設けられる面の裏面側で、無線信号７に対する受信感度がほとんどない。そこで、図６の（ｂ）に示すように、新たに無線アンテナ９ｈを反射板２ｈの反射板２ｇと対向する面に設け、無線アンテナ９ｇの受信感度の悪い方向から到来する無線信号７を効率よく受信することができる。
【００３１】
なお、図６の（ａ）及び（ｂ）において、無線アンテナ９ｇ及び９ｈの放射パターンのピーク方向がアンテナ直下方向と異なる場合を示したが、それぞれの無線アンテナを形成するマイクロストリップアンテナパターンをアレー化し、このアレー化したアンテナパターンをそれぞれ給電する位相を調整し、各アンテナパターンの位相がアンテナ直下方向で揃うようにしてもよい。アンテナ直下方向で放射パターンがピークを持つように構成できる。
【００３２】
このように、無線アンテナ９は反射板２の反射面の一部となるように反射板２に設けられるので、放電灯１から放射される光を遮らず、照明の効率低下を防止できる。さらに無線アンテナ９は目立たず、美観を損なうことがない。
【００３３】
このように構成された実施の形態２による照明器具によれば、発光部と、この発光部に電力を供給して点灯させる駆動部と、発光部から放射される光を反射する反射板と、駆動部を制御する制御信号を生成し駆動部へ出力する制御部と、無線信号を受信し制御信号を生成する受信信号を制御部へ出力する無線アンテナとを備え、無線アンテナが面状に形成され反射板の反射面の一部をなすように反射板に設けられるので、無線アンテナが発光部から放射される光を遮らず、照明の効率低下を防止できる。また、無線アンテナが目立たず美観を損なうことがない。
【００３４】
なお、実施の形態１または実施の形態２では、反射板として放電灯の光を反射する傘部や放電灯の背面部、またはルーバを例にしたが、これに限るものでなく、例えば、図２におけるランプソケット１０の背面側の部分を反射板して無線アンテナを設けてもよい。
【００３５】
実施の形態３．
図７はこの発明の実施の形態３における照明器具の無線アンテナの構成を示す概略構成図である。図７の（ａ）は無線アンテナ９の斜視図、図７の（ｂ）及び（ｃ）は、図７のＩ−Ｉ方向の断面の構造を示す。図７において、反射板２の上にパッチアンテナにより形成された無線アンテナ９が設けられる。無線アンテナ９は、金属パッチ９５、誘電体基板９６及び金属地板９７により３層に構成される。反射板２の裏面から給電ピン９８が金属パッチ９５上の給電点９９と接続され、金属パッチ９５を励振する。給電ピン９８は、給電線路を介してインバータ制御回路５へ接続される。図７の（ｃ）は、図７の（ｂ）における金属パッチ９５及びその周囲の誘電体基板９６に、放電灯１から放射される光に対し反射板２の反射面と同じ反射率を有する反射材１００を塗布したものである。このように反射材１００を設けることにより、無線アンテナによる反射光が周囲の反射板による反射光と同じレベルであり、照明の効率低下を防止できる。
【００３６】
図８は、図７に示した構成と別の無線アンテナの構成を示す概略構成図である。図８の（ａ）は無線アンテナ９の斜視図、図８の（ｂ）及び（ｃ）は、図８のＩＩ−ＩＩ方向の断面の構造を示す。図８における反射板２が金属により構成され、図７の金属地板９７を反射板２で代用したものである。図８の（ｃ）は、図８の（ｂ）における金属パッチ９５及びその周囲の誘電体基板９６に、放電灯１から放射される光に対し反射板２の反射面と同じ反射率を有する反射材１００を塗布したものである。このように反射材１００を設けることにより、無線アンテナによる反射光が周囲の反射板による反射光と同じレベルであり、照明の効率低下を防止できる。また、金属地板が不要なので無線アンテナの構成が簡単になる。
【００３７】
このように構成した実施の形態３による照明器具によれば、発光部と、この発光部に電力を供給して点灯させる駆動部と、発光部から放射される光を反射する反射板と、駆動部を制御する制御信号を生成し駆動部へ出力する制御部と、無線信号を受信し制御信号を生成する受信信号を制御部へ出力する無線アンテナとを備え、無線アンテナが反射板の反射面の一部をなすように反射板に設けられ、発光部から放射される光に対し無線アンテナが反射板と同じ反射率を有するので、無線アンテナが発光部から放射される光を遮らないのに加え、無線アンテナによる反射光が周囲の反射板による反射光と同じレベルであり、照明の効率低下を防止できる。また、無線アンテナが目立たず美観を損なうことがない。
【００３８】
なお、実施の形態１乃至実施の形態３では、無線アンテナにマイクロストリップアンテナやパッチアンテナを用いたが、それらのアンテナ金属パターンはエッチング、スパッタリングまたは印刷などにより形成できる。
【００３９】
実施の形態４．
図９はこの発明の実施の形態４における照明器具の無線アンテナの構成を示す概略構成図である。図９の（ａ）は無線アンテナ９の斜視図、図９の（ｂ）及び（ｃ）は、図９のＩＩＩ−ＩＩＩ方向の断面の構造を示す。図９において、反射板２は金属で構成され、スロット１０１が設けられる。反射板２に対し反射面の裏面にマイクロストリップ線路１０２が設けられ、ストリップ線路導体１０３がスロット１０１を横切って反射板２と接続される。マイクロストリップ線路１０２は誘電体１０４の上にストリップ線路導体１０３が設けられ、反射板２を金属地板として用いる構成となっている。マイクロストリップ線路１０２はインバータ制御回路５へ接続される。図９の（ｃ）は、図９の（ｂ）における反射板２及びスロット１０１に、放電灯１から放射される光に対し同一の反射率を有する反射材１００を塗布したものである。このように反射材１００を設けることにより、無線アンテナによる反射光が周囲の反射板による反射光と同じレベルであり、照明の効率低下を防止できる。
【００４０】
このように構成した実施の形態４による照明器具によれば、発光部と、この発光部に電力を供給して点灯させる駆動部と、発光部から放射される光を反射する反射板と、駆動部を制御する制御信号を生成し駆動部へ出力する制御部と、無線信号を受信し制御信号を生成する受信信号を制御部へ出力する無線アンテナとを備え、無線アンテナが反射板の反射面の一部をなすように反射板に設けられ、発光部から放射される光に対し無線アンテナが反射板と同じ反射率を有するので、無線アンテナが発光部から放射される光を遮らないのに加え、無線アンテナによる反射光が周囲の反射板による反射光と同じレベルであり、照明の効率低下を防止できる。また、無線アンテナが目立たず美観を損なうことがない。
【００４１】
なお、実施の形態３及び実施の形態４では無線アンテナの給電線路にマイクロストリップ線路を用いたが、トリプレート線路や同軸線路などの他の給電線路を用いてもよい。また、実施の形態４において、スロットの裏面に共振器を設けた構成にしてもよい。
【００４２】
実施の形態５．
図１０はこの発明の実施の形態５における照明器具の構成を示す概略構成図である。本実施例における照明器具２００は、実施の形態１の図１における反射板２が無線信号７に対し透過性を有する部材で構成し、無線アンテナ９を反射板２に対し放電灯１と反対側に配置したものである。その他の構成及び動作は実施の形態１と同じである。このように反射板２が無線信号７に対し透過性を有する部材で構成したので、無線アンテナ９を配置する場所の制約が緩くなり、設計の自由度が大きくなる。
【００４３】
このように構成した実施の形態５による照明器具によれば、発光部と、この発光部に電力を供給して点灯させる駆動部と、発光部から放射される光を反射する反射板と、駆動部を制御する制御信号を生成し駆動部へ出力する制御部と、無線信号を受信し制御信号を生成する受信信号を制御部へ出力する無線アンテナとを備え、反射板は無線アンテナが受信する無線信号を透過し、無線アンテナが反射板に対し発光部の反対側に設けられるので、無線アンテナが発光部から放射される光を遮らず、照明の効率低下を防止できる。また、無線アンテナを配置する場所の制約が緩くなり、設計の自由度が大きくなる。さらに、無線アンテナが目立たず美観を損なうことがない。
【００４４】
実施の形態６．
図１１はこの発明の実施の形態６における照明器具の概観図である。本実施例における照明器具２００は、実施の形態１の図２における無線アンテナ９をロッドアンテナで構成し、無線アンテナ９を図１に示す開口部２０の外縁部２０１に沿って設けたものである。図１１の（ａ）は、無線アンテナ９がコントローラ６からの無線信号７を受信する状態での位置を示し、図１１の（ｂ）は無線アンテナ９の一端を引き上げて開口部２０のなす面の法線方向と一致させ、図１１の（ｃ）は、図１１の（ｂ）の状態の無線アンテナ９を押し込んで外縁部２０１へ収納した状態を示す。このように、無線アンテナ９が開口部２０の外縁部２０１に沿って設けられた状態でコントローラ６からの無線信号７を受信するので、放電灯１から放射される光を遮ることがなく、目立たない。また、収納した状態でも無線信号が受信可能に構成することにより、例えば、コントローラ６の代わりに照明器具２００の周辺に配置される人感センサや照度センサなどの各種センサからの信号を天井に沿って無線信号で送信し、外縁部２０１に収納した無線アンテナ９が各種センサからの無線信号を受信して放電灯１を制御するシステム、すなわち、照明器具本体と各種センサとの信号線の敷設が不要なシステムが容易に構築できる。
【００４５】
このように構成した実施の形態６による照明器具によれば、発光部と、この発光部に電力を供給して点灯させる駆動部と、この駆動部を制御する制御信号を生成し駆動部へ出力する制御部と、無線信号を受信し制御信号を生成する受信信号を制御部へ出力する無線アンテナと、発光部からの光が通過して空間へ放射される開口部とを備え、無線アンテナが開口部の外縁部に沿って設けられ、開口部のなす面の法線と所定の角度で外縁部へ収納可能なので、無線アンテナが発光部から放射される光を遮らず、照明の効率低下を防止できる。また、無線アンテナが目立たず美観を損なうことがない。
【００４６】
実施の形態７．
図１２はこの発明の実施の形態７における照明器具の構成を示す概略構成図である。図１に示した実施の形態１では、無線アンテナ９がコントローラ６から送信される無線信号
７を受信信号８としてインバータ制御回路５へ出力する構成を示したが、本実施例における照明器具２００は、制御部であるインバータ制御回路５が、駆動部であるインバータ回路３を制御する制御信号４に加え、照明器具２００の図示しない点灯状態管理信号を生成し、この点灯状態管理信号に基づき送信信号を生成して無線アンテナ９へ出力し、無線アンテナ９から無線信号７１が送信される。ここで、インバータ制御回路５は図示しない変調部を備え、この変調部により点灯状態管理信号を変調した送信信号８１を無線アンテナ７へ出力する。無線アンテナ９から送信された無線信号７１はコントローラ６１で受信される。コントローラ６１は図示しない表示部を備え、点灯状態管理信号に基づき点灯状態管理情報が表示部へ表示される。その他の構成は図１と同じである。ここで、点灯状態管理信号とは、例えば、発光部である放電灯１を調光する場合の調光率、放電灯１の点灯異常、放電灯１の累積点灯時間、インバータ回路異常などの管理情報や、設定される目標調光率、照度の上限、下限設定、人感センサ設定などの設定内容確認情報などであり、駆動部であるインバータ回路３が生成してもよい。また、点灯状態管理信号に他の照明器具を制御する制御信号を含め、この制御を受ける照明器具が制御信号を送信する照明器具からの制御信号を受信するような構成にしてもよい。なお、インバータ制御回路５からインバータ回路３へ出力される制御信号４は、図示しない外部の制御指令入力手段により設定されて生成してもよいし、図１と同様に無線アンテナ９が無線信号を受信して、この受信信号に基づき制御信号４を生成してもよい。
【００４７】
このように構成された実施の形態７による照明器具によれば、発光部と、この発光部に電力を供給して点灯させる駆動部と、発光部から放射される光を反射する反射板と、駆動部を制御する制御信号を生成し駆動部へ出力する制御部と、駆動部または制御部が生成する点灯状態管理信号に基づく無線信号を送信する無線アンテナとを備え、無線アンテナが面状に形成され前記反射板の反射面の一部をなすように反射板に設けられるので、無線アンテナが発光部から放射される光を遮らず、照明の効率低下を防止できる。また、無線アンテナが目立たず美観を損なうことがない。
【００４８】
実施の形態８
図１３はこの発明の実施の形態８における照明器具の構成を示す概略構成図である。本実施例における照明器具２００は、実施の形態７における反射板２を無線信号７１に対し透過する部材で構成し、無線アンテナ９を反射板２に対し放電灯１と反対側に配置したものである。その他の構成及び動作は実施の形態７と同じである。
【００４９】
このように構成された実施の形態８による照明器具によれば、発光部と、この発光部に電力を供給して点灯させる駆動部と、発光部から放射される光を反射する反射板と、駆動部を制御する制御信号を生成し駆動部へ出力する制御部と、駆動部または制御部が生成する点灯状態管理信号に基づく無線信号を送信する無線アンテナとを備え、反射板は無線アンテナが送信する無線信号を透過し、無線アンテナが反射板に対し発光部の反対側に設けられるので、無線アンテナが発光部から放射される光を遮らず、照明の効率低下を防止できる。また、無線アンテナを配置する場所の制約が緩くなり、設計の自由度が大きくなる。さらに、無線アンテナが目立たず美観を損なうことがない。
【００５０】
実施の形態９．
図１１に示した実施の形態６の構成において、無線アンテナ及び図示しないインバータ制御部を、図１２または図１３に示すように、無線アンテナから点灯状態管理信号を送信信号として送信するように構成するものである。なお、その他の構成及び動作は実施の形態６と同様である。
【００５１】
このように構成した実施の形態９による照明器具によれば、発光部と、この発光部に電力を供給して点灯させる駆動部と、この駆動部を制御する制御信号を生成し駆動部へ出力する制御部と、駆動部または制御部が生成する点灯状態管理信号に基づく無線信号を送信する無線アンテナと、発光部からの光が通過して空間へ放射される開口部とを備え、無線アンテナが開口部の外縁部に沿って設けられ、開口部のなす面の法線に対して所定の角度で外縁部へ収納可能なので、無線アンテナが発光部から放射される光を遮らず、照明の効率低下を防止できる。また、無線アンテナが目立たず美観を損なうことがない。
【００５２】
なお、実施の形態７乃至実施の形態９の説明において、無線アンテナが無線信号を送信し、コントーラが無線信号を受信する場合を示したが、無線アンテナを送信／受信共用に構成し、コントローラを受信／送信共用に構成し、それぞれ切り換えて使用してもよい。
【００５３】
以上、実施の形態１乃至９の説明において、発光部が放電灯で駆動部がインバータ回路の場合を示したが、発光部が白熱電球であり、駆動部が白熱電球に電力を供給する電力を制御してもよい。
【００５４】
また、照明器具２００が天井に設ける場合を示したが、壁などに設けてもよい。
【００５５】
また、インバータ回路３とインバータ制御回路５とを別々の回路として分離して構成したが、両者を一体化した回路として構成してもよい。
【００５６】
また、コントローラ６は持ち運びできるように構成したが、壁などに固定されて取り付けるようにしてもよい。また壁などに着脱自在に取り付けられるように構成してもよい。
【図面の簡単な説明】
【００５７】
【図１】この発明の実施の形態１における照明器具の構成を示す概略構成図である。
【図２】この発明の実施の形態１における照明器具の概観図である。
【図３】この発明の実施の形態１における無線アンテナの設置位置を示す配置図である。
【図４】この発明の実施の形態１の照明器具における無線アンテナの設置位置を示す配置図である。
【図５】この発明における反射板と無線アンテナの形状の関係を示す概略構成図である。
【図６】この発明の実施の形態２における照明器具の構成を示す概略構成図である。
【図７】この発明の実施の形態３の照明器具における無線アンテナの構成を示す概略構成図である。
【図８】この発明の実施の形態３の照明器具における無線アンテナの構成を示す概略構成図である。
【図９】この発明の実施の形態４の照明器具における無線アンテナの構成を示す概略構成図である。
【図１０】この発明の実施の形態５における照明器具の構成を示す概略構成図である。
【図１１】この発明の実施の形態６における照明器具の外観図である。
【図１２】この発明の実施の形態７における照明器具の構成を示す概略構成図である。
【図１３】この発明の実施の形態８における照明器具の構成を示す概略構成図である。
【符号の説明】
【００５８】
１、１１、１２  発光部である放電灯
２、２ａ、２ｂ、２ｃ、２ｄ、２ｅ、２ｇ、２ｈ  反射板
２１、２２  反射板の反射面
３  駆動部であるインバータ回路
４  制御信号
５  制御部であるインバータ制御回路
６、６１  コントローラ
７、７１  無線信号
８  受信信号
８１  点灯状態管理信号を変調した送信信号
９、９ａ、９ｂ、９ｃ、９ｅ、９ｆ、９ｇ、９ｈ  無線アンテナ
９１ａ、９１ｂ、９１ｃ、９１ｅ、９１ｆ、９１ｇ  放射パターン
９２ａ、９２ｂ、９２ｃ、９２ｅ、９２ｆ  ピーク方向
９３、９４  無線アンテナの金属パターンが設けられる面
９５  金属パッチ
９６  誘電体基板
９７  金属地板
９８  給電ピン
９９  給電点
１００  反射材
１０１  スロット
１０２  マイクロストリップ線路
１０  ランプソケット
２０開口部
２００  照明器具
２０１  外縁部
２１０  天井
【図１】
2006080007.tif 000003
【図２】
2006080007.tif 000004
【図３】
2006080007.tif 000005
【図４】
2006080007.tif 000006
【図５】
2006080007.tif 000007
【図６】
2006080007.tif 000008
【図７】
2006080007.tif 000009
【図８】
2006080007.tif 000010
【図９】
2006080007.tif 000011
【図１０】
2006080007.tif 000012
【図１１】
2006080007.tif 000013
【図１２】
2006080007.tif 000014
【図１３】
2006080007.tif 000015